Podtech/llm-jp-corpus-v4-ja_patent huggingface dataset:
(57)【要約】      （修正有）【課題】屋外に面する部分の耐久性を維持し、かつ、室内側は明るくなる木製窓部材を提供する。【解決手段】未処理の木材と熱処理された木材をあわせて積層して接着した集成材を用いて窓部材を製造する。木材の本来の色を保った未処理の木材２，４を屋内側に配し、熱処理された木材１，３を屋外側に配する。これによって屋内側は明るい印象となり、屋外側は木材の耐久性を付与するための塗装を施す必要がなくなる。【選択図】図４
0003160949.tif 000002
【実用新案登録請求の範囲】
【請求項１】
熱処理された木材と未処理の木材をあわせて積層し接着した集成材を用いた木製窓の枠部材。
【請求項２】
熱処理された木材と未処理の木材をあわせて積層し接着した集成材を用いた木製窓の建具部材。
【考案の詳細な説明】
【技術分野】
【０００１】本考案は木製窓の枠および建具部材に関する。
【背景技術】
【０００２】木製窓は屋外に面しているため、その構成となる木材に耐久性が要求される。従来の木製窓は、屋外側に面する部分に、木材の美観および耐久性を付与するために塗装を施している。【０００３】木材の耐久性を向上させる方法として、木材に熱処理を施す方法がある（非特許文献１参照）。熱処理によって木材は耐久性が向上するとともに、材色が褐色に変化する。【０００４】従来の一般的な木製窓の部材には木材を積層し接着した集成材が用いられる。【０００５】未処理の木材の集成材を用いて製造された木製窓は、前述のとおり、耐久性を付与するため塗装を施す必要があるが、耐久性が向上している熱処理された木材の集成材を用いて製造された木製窓は、塗装の必要がない。
【先行技術文献】
【非特許文献】
【０００６】
【非特許文献１】「木材保存Ｖｏｌ．３１−１」（「熱処理と耐久性」）、桃原郁夫、ｐ．３−１１
【考案の概要】
【考案が解決しようとする課題】
【０００７】熱処理された木材は、褐色に変化しているため、熱処理された木材の集成材を用いて木製窓を製造した場合、窓全体、特に屋内側が暗い印象となる。木目まで消してしまう明るい塗装を施すことも可能だが、木材の美観的な要素が失われてしまう。
【課題を解決するための手段】
【０００８】熱処理した木材と未処理の木材をあわせて積層し接着した集成材を用いて窓の枠部材および建具部材を製造する。【０００９】積層し接着する際、屋外側に面する部分に熱処理された木材を配し、逆に屋内側には未処理の木材を配する。
【考案の効果】
【００１０】屋外側に面する熱処理された木材は、耐久性が向上しているため、耐久性を付与するための塗装の必要がなくなる。【００１１】未処理の木材は屋内側に面するため、耐久性を付与するための塗装の必要がなくなり、未処理の木材の本来の明るい色が確保される。これによって室内側を明るく見せることができる。
【図面の簡単な説明】
【００１２】
【図１】本考案の枠部材の構成を示す斜視図。
【図２】本考案の建具部材の構成を示す斜視図。
【図３】本考案の部材を回転窓に使用した例を示す正面図。
【図４】図３のＡ−Ａ’線断面図。
【図５】図３のＢ−Ｂ’線断面図。
【考案を実施するための形態】
【００１３】木製窓がおさまる壁の厚さによって、枠部材を４層から７層、建具部材を２層から３層、積層し接着する。
【００１４】図１のように、枠部材の屋外側の２層から４層を熱処理された木材、屋内側に面する２層から３層を未処理の木材で構成する。
【００１５】図２のように、建具部材の屋外側の１層から２層を熱処理された木材、屋内側に面する１層から２層を未処理の木材で構成する。
【実施例】
【００１６】本考案の部材を回転窓に使用した例を図４、５に示す。
【符号の説明】
【００１７】１…枠部材（熱処理された木材）、２…枠部材（未処理の木材）、３…建具部材（熱処理された木材）、４…建具部材（未処理の木材）、５…ガラス押え、６…戸当り、７…ガラス、８…網戸、９…レバーロックオペレーター
【図１】
0003160949.tif 000003
【図２】
0003160949.tif 000004
【図３】
0003160949.tif 000005
【図４】
0003160949.tif 000006
【図５】
0003160949.tif 000007
(57)【要約】【課題】  洗髪時、目を閉じたままの状態で、手探でシャンプー容器及びリンス容器を音声で識別出来る音声識別容器を提供する。【解決手段】  シャンプー容器及びリンス容器の外部肩面にセンサーを設け、センサーに手を触れると、容器内部に設けた電子回路から音声でシャンプー容器及びリンス容器を識別出来る。また容器内部には液体吸出ポンプを設け、容器識別後は容器内ポンプで内溶液を吸出できることを特徴とする音声識別容器。【選択図】図１
0003160953.tif 000002
【実用新案登録請求の範囲】
【請求項１】
シャンプー容器、リンス容器の外部肩面に、センサーを設け、センサーに手を触れると音声で容器を識別出来る電子回路と、容器内部に液体吸出ポンプを設け、音声により容器識別後ポンプで内溶液を吸出できることを特長とする音声識別容器。
【考案の詳細な説明】
【技術分野】
【０００１】  本考案は、洗髪時、シャンプー容器及びリンス容器を音声により識別する音声識別容器に関するものである。
【背景技術】
【０００２】  従来、シャンプー容器とリンス容器を使用して洗髪した際に、シャンプー容器とリンス容器の識別はそのつど目を開けて容器を識別していた、しかしながら、そのつど目を開けてシャンプー容器とリンス容器の識別することになると、洗髪時の残液や水滴が目に入り激痛で苦しんだ経験は幾度もある、この件の解決策として一般に知られている物で、容器側面に多数の突部を設けたシャンプー容器やリンス容器の触覚判別する容器も知られている、しかしながら洗髪時にシャンプーやリンスの残液が附着した手で触覚判別は手がすべり困難である。また老人や幼児の容器触覚識別はなをさら困難である。（特許文献１）
【特許文献１】実開平５−５０１７号公報
【考案の開示】
【考案が解決しようとする課題】
【０００３】  （イ）洗髪時、水滴や残液が、目に入り苦痛で苦しんでいる時にシャンプー容器やリンス容器を識別がするのは困難である。
（ロ）洗髪時、長髪の人など髪が顔に絡みついてシャンプー容器やリンス容器を識別するのは困難である。
（ハ）洗髪時、老人や子供らが手探りでシャンプー容器やリンス容器を識別するのは困難である。
（ニ）洗髪時、目の不自由な人などのシャンプー容器やリンス容器を識別するのは困難である。
【課題を解決するための手段】
【０００４】    シャンプー容器及びリンス容器外部肩面にセンサーを設け、センサーに手を触れると、容器内部に設けた電子回路から音声でシャンプー容器及びリンス容器を識別出来る。また容器内部には液体を吸出するポンプを設け、容器識別後は容器内ポンプで溶液を吸出できることを特長とする、本発明は、以上の構成からなる音声識別容器である。
【考案の効果】
【０００５】    本考案は洗髪時、目を閉じたままの状態で、手探りでシャンプー容器及びリンス容器を自在に識別出来た、また音声での容器識別は誤シャンプー及び誤リンスを防ぐ事が出来た、特に目の不自由な人や老人や子供達も容器の識別が安易になり洗髪が楽くになった。
【考案を実施するための最良の形態】
【０００６】    本考案の実施の形態について説明する。
（イ）容器両肩面に設けたセンサーＳで感知した微弱信号は一段目の増幅器Ｔｒ１で電気信号に変換増幅され二段目の増幅器Ｔｒ２へ信号を送る。
（ロ）二段目増幅器Ｔｒ２に送られて来た電気信号は更に増幅を繰り返しＩＣ１に送る。
（ハ）ＩＣ１に送られてきた電気信号は動作信号に変換されＩＣ２を作動する。
（ニ）ＩＣ２はメモリー素子である、メモリー素子には、あらかじめ識別音声信号を入力して置く必要がある、Ｘのメモリー素子にはシャンプーの音声信号を入力し、Ｙのメモリー素子にはリンスの音声信号を入力しておき、それぞれの容器に装着する。
（ホ）センサーで感知した微弱信号は増幅を繰り返しメモリー素子を作動し音声で終段のスピーカーから識別音声となり容器の識別を容易にすることが出来た。
（ヘ）容器識別後は容器内部に設けた液体吸出ポンプで内容液を必要量だけ吸出する事が出来た。
【図面の簡単な説明】
【０００７】
【図１】本考案の回路図である。
【図２】本考案の正面図である。
【図３】本考案の背面図である。
【図４】本考案の平面図である
【図５】本考案のフローチャート図である。
【符号の説明】
【０００８】ＩＣ１    ホトカプラ
ＩＣ２    メモリー素子
ＳＰ      スピーカー
ＴＲ      トランジスター
Ｓ        センサー
Ｒ        抵抗器
Ｃ        コンデンサー
＋        プラス電源
−        マイナス電源
１        容器
２        ポンプ
３        スピーカーグリル
４        センサー板
【図１】
0003160953.tif 000003
【図２】
0003160953.tif 000004
【図３】
0003160953.tif 000005
【図４】
0003160953.tif 000006
【図５】
0003160953.tif 000007
(57)【要約】【課題】釣り用電動リールを手元での操作と遠隔リモートコントロール装置での操作の２つの方法で操作出来る構造にする。【解決手段】釣り用電動リールを電動リール本体の手元での操作と遠隔リモートコントロール装置での操作の２つの方法で操作出来る構造にするため、電動リールの一部の操作機能をリモートコントロール方式に対応出来る電気方式とする。更に、電動リールとリモートコントロール装置の双方に双方向通信機能と制御信号入力出力応答機能を備える。【選択図】図１
0003160954.tif 000002
【実用新案登録請求の範囲】
【請求項１】
釣り用電動リールの操作を電動リール本体の手元での操作と、遠隔リモートコントロール装置での操作の２つの方法により操作が出来るように双方向通信機能と制御信号入力出力応答機能を備えた、釣り用電動リール１と、リモートコントロール装置２により講成された電動リール。
【考案の詳細な説明】
【考案の開示】
【考案が解決しようとする課題】
【０００１】従来、船釣りに使用している電動リールのすべては、手元操作により使用されている。
自動化は巻き上げ時の船ベリ停止、巻き下げの時の設定棚停止、自動シャクリ程度で、基本的には手元操作となっている。本考案は手元操作機能と別途に、リモートコントロール操作により、巻き上げ開始、巻き下げ開始、巻き下げ停止、巻き上げ速度調整などの操作を可能にして、竿受けに固定された電動リールに対し、離れた位置から遠隔操作により電動リールの操作をするものである。その考案により従来出来なかった、一人で複数の電動リールの同時操作や、４本竿のイカ釣り、疑似餌仕掛け釣りの自動化などの多様な釣りが出来る。更に、降雨時や寒い時期にキャビン内より遠隔操作が出来るようになり、特に高齢者の身体負荷が格段に低減出来たり、釣果を伸ばせたり、急激な船内移動が減少する効果による安全性の確保や、微速走行流し釣り時の操船の安全性を可能とするものである。
【課題を解決するための手段】
【０００２】上記目的を達成する方法は、従来の電動リールには手元操作が基本となっていが、その操作は、押し込み・締めつけ・緩め戻し・回転・倒し・引き戻し等で講成されている。
操作する内容は、手巻きハンドルの回転、クラッチチＯＮ−ＯＦＦレバーの押し込み、巻き上げＯＮ−ＯＦＦレバーと巻き上げ速度調整レバーの倒し・引き戻し、ドラッグ調整ハンドルとブレーキ調整ノブの締め付け・緩め戻し、リセットボタンとモード説定ボタン、チョイ巻きボタンの押し込みなどで、その他として巻き下げ深さや、巻き上げ速度の液晶画面表示等の諸機能となっている。
課題を解決するための手段は、それらの操作機能の内、クラッチレバーのＯＮ−ＯＦＦや、巻き上げレバーのＯＮ−ＯＦＦ、巻き上げ速度調整レバーの倒し・引き戻し等の機械的な手元操作を電気方式とする。そして、上述の機能のうちリモートコントロール装置に設ける事が出来ない（必要ない）手巻き用ハンドルや、ドラッグ調整ハンドル、ブレーキ調整ノブ等を除外したその他機能を、リモートコントロール装置に設置する。
そのような構造とした電動リール１とリモートコントロール装置２の双方に、双方向送受信装置（無線又は有線）と制御信号入力出力応答機能を設ける。
【考案の効果】
【０００３】従来、電動リールを使用して船釣りする場合は左舷／右舷・舳先／船尾等の配置で、一人が２本以上の置き竿で使用する事が多々あった。その場合、同時に複数の竿に魚信がくるときがありその対応のため船上を走り回る状態が起きていた。そのような行為は転落事故等の安全面で危険性を感じていた。
又、釣り方の例として１本は舳先等の竿受けに固定し、擬餌針仕掛けを使用して自動で『海底から超スロー巻き上げ』、続いて『設定深さまでの巻き上げ、停止、即、巻き下げ開始』、続いて『巻き下げ停止、即、巻き上げ開始』動作を繰り返しながら魚信を待ち、他の１本は手元操作で使用する場合、竿受けに固定した従来の電動リールではその様な操作は不可能であった。舳先の電動リールをリモートコントロールで操作が出来れば、その様な多彩な釣りが出来る。更に、船上での素早いやり取りや、船上を走り回り転落する等の危険な行為を回避できて、釣果を伸ばす事も出来る。
又、降雨時や寒い時期にキャビン内より電動リールの遠隔操作が出来れば、基礎体力が低下した高齢者等の身体負荷が低減さたり、微速走行流し釣り時の操船と電動リールの同時操作が可能となる。更に、安全性と快適性も得られながら多彩な漁法が可能となる。
【考案を実施するための最良の形態】
【０００４】本考案の最良の形態は、電動リールの手元操作とリモートコントロール装置による操作が両用出来る構造として、リモートコントロール操作中に魚信があれば初動はリモートコトロール操作により合わせシャクリ巻き操作後、巻き上げを開始し、魚体の大きさでそのまま巻き上げたり、大物であれば手巻き用ハンドル操作に切り替え、魚とのやりとりが出来る構造とする。更に、リモートコントロール装置にも液晶画面を設け、巻き下げ深度や、巻き上げ速度が表示されれば、魚群探知機の反応に機敏な対応が出来る。
リモートコントロール装置は、専用ホルダーをキャビン内や船ベリ等に設置すれば利便性がよい。次に
双方向の通信は無線方式のほうが良いと思われる、有線の場合、ケーブルと仕掛けの絡みが起き煩雑となる。次に、原価を低減するには、リモートコントロール装置と電動リールに接続プラグを設け、リモートコントロール装置を使用しない場合は電動リールの手元操作パネルとして共用する事も可能である。
【図面の簡単な説明】
【０００５】
【図１】電動リールとリモートコントロール装置、並びに専用ホルダーの組み合わせ斜視図。
【符号の説明】
【０００６】１    電動リール
２    リモートコントロール装置
３    専用ホルダー
４    ブレーキ調整ノブ
５    クラッチＯＮ−ＯＦＦスイッチ
６    アンテナ
７    液晶表示装置
８    巻き下げ深さ表示
９    巻き上げ速度表示
１０  リセットスイッチ
１１  モードスイッチ
１２  巻き上げ速度大スイッチ
１３  巻き上げ電源ＯＮ−ＯＦＦスイッチ
１４  巻き上げ速度小スイッチ
１５  アワセ・チョイ巻きスイッチ
１６  ドラック調整ハンドル
１７  手巻き用ハンドル
【図１】
0003160954.tif 000003
(57)【要約】      （修正有）【課題】磁石で取着する金属面に対するメモクリップの反対側に鏡と磁石を設けた、表裏面がメモクリップとして使用できる鏡面付磁性メモクリップを提供する。【解決手段】メモクリップ１を相対する表面可動片２と裏面可動片３とによって構成し、該表面可動片には、表面にマグネットシート枠７を取着すると共に、その内枠に鏡面体６を張着する。また、該裏面可動片には、マグネットシートの表面にも薄肉の広告シートを張着する。【選択図】図１
0003160957.tif 000002
【実用新案登録請求の範囲】
【請求項１】
メモクリップ（１）は、相対する表面可動片（２）と裏面可動片（３）とより構成され、該表面可動片（２）と該裏面可動片（３）には、内部に反発用の固定ばね（４）を設けると共に、端部に開放用の把手部（５）（５）を形成し、該表面可動片（２）には、表面にマグネットシート枠（７）を取着すると共に、該マグネットシート枠（７）の開口部（８）に鏡面体（６）を取着し、且つ該裏面可動片（３）には、表面にマグネットシート（９）を張着した事を特徴とする鏡面付磁性メモクリップ。
【請求項２】
請求項１における該裏面可動片（３）の表面に設けたマグネットシート（９）の表面に薄肉等の広告シート（１０）を張着した請求項１に記載の鏡面付磁性メモクリップ。
【考案の詳細な説明】
【技術分野】
【０００１】  本考案は、磁石が接合する金属面、スチール製品、冷蔵庫及び洗濯機等の金属塗装面に張着可能となる場所に各種のメモ等のシートを着脱自在に挟持する表面側及び裏面側との両面を自由に使用できる鏡面付磁性メモクリップに関するものである。
【背景技術】
【０００２】  従来この種の領収書、請求書及び各種のメモシート等を着脱自在に挟持するメモクリップは、クリップの裏面可動片の表面全体にマグネットシートを張着し、この張着面をスチール製品又は冷蔵庫等の金属面に張り着けて使用する。また、表面側の表面可動片には、広告用シート又は電話番号等を記載したメモシートを張り着けて使用するメモクリップは、多数散見されている現状である。
【考案の概要】
【考案が解決しようとする課題】
【０００３】  上記の如く、従来のメモクリップは、表面可動片の表面に広告等の宣伝用のシートを張り付け、裏面可動片側のみにマグネットシートを張り着けて、冷蔵庫等の金属面にマグネットシートの裏面可動片側のみを張り付けて、メモクリップとして使用されている現状である。
本考案は、従来のメモクリップを改良したものであって、その主たる目的とする所は、メモクリップ本体が各種の金属面に対して、表面側及び裏面側の両方を自由に張着できるようにすると共に、表面可動片には、マグネットシート枠と鏡面体を張着し、裏面可動片には、マグネットシートを張着し、そのマグネットシートの表面には、各種の広告等の広告シートを張着できる等の表裏両面が使用できる外観的に優れた鏡面付磁性メモクリップを提供するものである。
【課題を解決するための手段】
【０００４】  上記目的を達成するために、本考案の鏡面付磁性メモクリップは、相対する表面可動片と裏面可動片とを反発用の固定ばねを介在して一体的に構成されている。該表面可動片と該裏面可動片には、端部の開閉挟み部と他端部には、開閉用の把手部を形成する。
そして、表面可動片には、内部が開口されマグネットシート枠を取着し、該マグネットシート枠の開口部に鏡の役目をする鏡面体を取着する。
また、反対側の裏面可動片には、方形状のマグネットシートを張着する。該マグネットシートの正面には、必要に応じて広告シート等を張着することもできる。
【考案の効果】
【０００５】  本考案の鏡面付磁性メモクリップによれば、従来のメモクリップの如く、裏面可動片のみの一方にマグネットシートを取着して金属面に張り着けて使用するものと異なり、該メモクリップを表面可動片と裏面可動片との両面に直接マグネットシートを取着しているので、両面の何れかを各種金属面に自由に張り着ける事ができる便利な効果がある。
そして、一方の表面可動片には、マグネットシート枠を取着して、その枠内に鏡面体を取着したので、使用に応じて反転して鏡の役目を充分に果す効果と、不使用の時には、鏡面体の表面を金属に張り着け、反対側の裏面可動片側に張り着けた広告シート面等を表示して使用できると云う便利な効果もある。
【図面の簡単な説明】
【０００６】
【図１】  本考案のメモクリップの表面可動片の斜面図である。
【図２】  同じく本考案のメモクリップの裏面可動片の斜面図である。
【図３】  本考案のメモクリップを分離列設した縦断側面図である。
【図４】  本考案のマグネットシート枠の斜面図である。
【図５】  本考案の鏡面体の斜面図である。
【考案を実施するための形態】
【０００７】  上記のように構成されている鏡面付磁性メモクリップによれば、相対する表面可動片と裏面可動片とを固定ばねによって開閉してメモをクリップできる。該表面可動片の正面に設けたマグネットシート枠とその枠内に鏡面体を張り着けたので、金属表面に接合して鏡の役目を果す事ができる。また、反対側の裏面可動片に設けたマグネットシートと、その表面に張り着けした広告シートによっては、鏡面体側を金属表面に接合する事によって、普通のマグネットのメモクリップとして広告シートを表面にして広告の役目を果すものである。
【実施例】
【０００８】  次に、本考案の実施例を図面について説明すると、メモクリップ（１）は、相対する表面可動片（２）と裏面可動片（３）とを固定ばね（４）によって形成され、図１の該メモクリップ（１）の表面可動片（２）の斜面を示し、該表面可動片（２）の正面中央に方形状のマグネットシート枠（７）を張り着け、該マグネットシート枠（７）の中に設けた開口部（８）に方形状の鏡面体（６）を嵌合取着する。
次に、図２の実施例では、該メモクリップ（１）の裏面可動片（３）の斜面図を示すもので、その正面中央に方形状のマグネットシート（９）を張り着け、その表面に各種の広告シート（１０）を張着したものである。
また、図３に示すものは、メモクリップ（１）を分離したもので、該表面可動片（２）と該裏面可動片（３）との端部に開閉操作用の把手部（５）（５）を各々形成してある。該表面可動片（２）には、正面に鏡面体（６）とマグネットシート枠（７）を並設し、該裏面可動片（３）には、マグネットシート（９）と広告シート（１０）を並設したものである。
【符号の説明】
【０００９】１          メモクリップ
２          表面可動片
３          裏面可動片
４          固定ばね
５          把手部
６          鏡面体
７          マグネットシート枠
８          開口部
９          マグネットシート
１０        広告シート
【図１】
0003160957.tif 000003
【図２】
0003160957.tif 000004
【図３】
0003160957.tif 000005
【図４】
0003160957.tif 000006
【図５】
0003160957.tif 000007
(57)【要約】      （修正有）【課題】簡単な仕掛けで容易に且つ確実に動物を檻内に捕獲することができる動物捕獲器を提供する。【解決手段】動物をスロープによって檻本体の上部の水平なところに誘導し餌台に向かわせシーソー板の支持軸を過ぎたところでシーソー板が反転し落下させ、檻の中に捕獲した後シーソー板が逆転し、また元の水平になり何度でも動物を捕獲することができる。           【選択図】図２
0003160975.tif 000002
【実用新案登録請求の範囲】
【請求項１】
四角型檻本体と、該四角型檻本体の上枠の天板に中央より片側に設けられた開口部と、この開口部を閉塞すると共に、而も捕獲動物が載った際にその重量にて下方向に反転するシ一ソ一板と、前記四角型檻本体の設置面と、前記シ一ソ一板との間に備えられた捕獲動物の誘導スロ一プとで成したことを特徴とした動物捕獲器。                  
【請求項２】
前記シ一ソ一板は中央を軸支持され、一方側板を対面させ、且つ他方側板を四角型檻本体の上枠の天板の上面に対面させ安定させたことを。特徴とした請求項１記載の動物捕獲器。                  
【請求項３】
前記シ一ソ一板の一方側板側の衝立に餌台を設置したことを特徴としたことを請求項１記載の動物捕獲器。
【考案の詳細な説明】
【技術分野】
【０００１】
本考案は例えばねずみ等の有害動物の捕獲檻に関するものである。
【背景技術】
【０００２】
従来より野生動物が人間に対して多大な被害を与える問題が発生している。その為動物が通る場所に捕獲器を設置し、捕獲器内に動物の好む餌を配置させその餌により動物を捕獲器内におびき寄せて捕獲していた。
そこで、これらに関連する先行技術文献として下記特許文献が存在する。
【０００３】
而して、この文献によると、箱型の捕獲籠にあって籠の中に餌を配置し、動物の接触動作に依り引っ掛かりを開放して２枚の扉を同時にスプリングの作用で閉鎖させ動物を捕獲するものである。
【０００４】
この文献の問題点は籠と言う囲いの中にはいるのを警戒し動物の捕獲が容易でなかった。特に籠の囲いの中に入ることの警戒心を除き、極力自然な形で誘導し動物を捕獲するものである。
【先行技術文献】
【特許文献】
【０００５】
【特許文献１】実開昭４９―５７４６０
【考案の概要】
【考案が解決しようとする課題】
【０００６】
しかしながら、上記特許文献等における動物捕獲器では複雑な構造からなるため製造コストが多大になるとか重量が重くなるとか、輸送面においても多くの問題が発生した。
【課題を解決するための手段】
【０００７】
本考案は、四角型檻本体と、該四角型檻本体の上枠の天板に中央より片側に設けられた開口部と、該開口部を閉塞すると共に、而も捕獲動物が載った際にその重量にて下方向に反転するシ一ソ―板と、前記四角型檻本体の設置面と、前記シ一ソ一板との間に備えられた捕獲動物の誘導スロ一プとで成したことを特徴としたものである。
【０００８】
更に本考案は、シ一ソ一板は中央を軸支持され、一方側板を対面させ、且つ他方側板を前記檻本体上枠の天板の上面に対面させ安定させたことを特徴としたものである。
【０００９】
又本考案は、シ一ソ一板の一方側板側に衝立を設け餌台も設置したことを特徴としたものである。
【考案の効果】
【００１０】
(１)請求項１により、簡単な仕掛けで容易に且つ確実に動物を檻内１に捕獲することができる。
(２)請求項２により、天板の上面に対面させたことでシ一ソ一板が安定しているので安心して餌台に向かうことができる。又、捕獲籠と言う枠の中に誘導するのではなく檻本体の天板の上の不安感のない平地に誘導し捕獲することができる。
【図面の簡単な説明】
【００１１】
【図１】檻本体図
【図２】メカニズム図
【図３】中央軸の固定図
【図４】上枠の前後引っ掛け図
【図５】前引っ掛け図
【図６】後ろ引っ掛け図
【図７】各部品図
【考案を実施するための形態】
【００１２】
以下本考案を実施例として掲げた図面に基ずいて説明すると、図1は物捕獲器の斜視図を示し、四角型檻本体１は上枠２の天板３と中央より片側に設けられた開口部４と、該開口部４を閉塞すると共に、而も捕獲動物Ｐが載った際にその重量にて下方向に反転するシ一ソ―板５とで構成されている。
【００１３】
而して、この四角型檻本体１の設置面Ｆと上枠のシ一ソ一板５との間には捕獲動物Ｐの誘導スロ一プ６が位置している。
具体的には誘導スロ一プ６の上端にフック７を設け、このフック７を上枠の開口上端８に引っ掛けている。
【００１４】
更にシ一ソ一板５は中央を軸９にて支持され、巻きバネ１０の作用で常に水平に保ち、一方側板５ａを対面させ、且つ他方側板５ｂを前記上枠の天板３の上面に対面させ巻きバネ１０にて常時時計方向Xに反転するよう作用し弾圧して安定させている。
【００１５】
更に、捕獲動物Ｐは端を通る習性があるため、中央を歩かせる為に衝立1１を設け、更にその奥部に針のついた餌台1２を設置した。而もこの仕掛け全体を司る上枠2を四角型檻本体１に固定し完成している。
【００１６】
又本考案は、シ一ソ一板５の一方側板側に衝立１１を設けその奥に針のついた餌台１２を設置したことを特徴としたものである。
【００１７】
四角型檻本体１の上枠２にシ一ソ一板５を設けたことにより巻きバネ１０の作用で常に水平に保ち捕獲動物Ｐの体重の重心が中央の軸9を通過した途端にシ一ソ一板５が下方向に反転し捕獲動物Ｐを落下させ餌を捕食することなく捕獲動物Ｐを四角型檻本体１に捕獲した後シ一ソ一板５が逆転し、またもとの水平になり何度でも同じことを繰り返し、数匹の捕獲動物Ｐを捕獲することができる。
【符号の説明】
【００１８】
１    四角型檻本体
２    上枠
３    天板
４    開口部
５    シ一ソ一板
６    スロ一プ
７    フック
８    上枠の開口
９    軸
１０  巻きバネ
１１  衝立
１２  餌台
【図１】
0003160975.tif 000003
【図２】
0003160975.tif 000004
【図３】
0003160975.tif 000005
【図４】
0003160975.tif 000006
【図５】
0003160975.tif 000007
【図６】
0003160975.tif 000008
【図７】
0003160975.tif 000009
(57)【要約】      （修正有）【課題】広い裄寸法を望む現代人にとっては狭すぎる布幅の反物を、現代人に適した衣料品として製品化するコートを提供する。【解決手段】身頃に充当する部分と袖に充当する部分を、背中心線に平行な縫い目によって、柄あわせを必要とするものは柄あわせをして縫い合わせることにより、完全に一体化して一枚の布状にした上で、四隅を斜めに切り落として菱形にし、ポンチョ風に成形したものに、和服に対応できる衿をつけることによって、柄の美しさを最大限に生かし、且つ裄寸法不足を不自然に感じさせない、斬新なデザインの和洋兼用コートを創造することができる。【選択図】図１
0003160616.tif 000002
【実用新案登録請求の範囲】
【請求項１】
袖と身頃を振りで分割することなく、身頃に充当する部分と袖に充当する部分を背中心線に平行に縫い合わせることによって完全に一体化し、一枚の布状にした上で四隅を斜めに切り落として菱形にし、ポンチョ風に成形したものに、和服に対応できる衿をつけた和洋兼用コート
【考案の詳細な説明】
【技術分野】
【０００１】
本考案は、和服用の布地で縫製された、ポンチョ型の和洋兼用コートに関するものである。
【背景技術】
【０００２】
急激に変化し続ける日本人の体形。昭和期以降、平均身長は大幅に伸び、手足が長い人が増えている。そのため、和服縫製にあたって必要とされる裄寸法がどんどん広くなってきている。具体的には、７１センチメートルを超える裄寸法を希望する人が増えている。しかしながら和服用の布地（以下反物という）は、何十年も前の日本人の体形に合わせた寸法で製造されており、布幅は３７センチメートル前後しかない。両端の縫い代寸法を引くと、３５センチメートル程度になり、肩幅、袖幅共に３５センチメートルにしても、裄寸法は７０センチメートルにしかならない。そのため、裄寸法が希望寸法に足りず、トラブルになるケースが頻発している。
【０００３】
特にコート類においては、袖幅を長着よりも1センチメートル程度広くする必要があるため、到底希望寸法に及ばず、仕立てを諦めざるを得ない人が大勢いる。
【０００４】
一方で、アンティークと呼ばれる、年代物の反物は、近年その芸術的センスや品質の良さなどから、国内外でその評価が上がってきており、仕立てを望む人も多い。しかしながら古いものほど布幅が３７センチメートルよりもっと狭いものがほとんどであるため、元の形の和服に仕立て直しても全く裄寸法が足りないため、仕立てを諦めてタペストリー等に加工してしまうケースも多い。
【先行技術文献】
【特許文献】
【０００５】
【特許文献１】特開２０００−１７８８０７号公報
【考案の概要】
【考案が解決しようとする課題】
【０００６】
本考案は、広い裄寸法を望む現代人にとっては狭すぎる布幅の反物を、現代人に適した衣料品として製品化するために考案されたものである。
【０００７】
裄寸法が狭くても、それが不自然に見えないようなデザインの衣服としては、西洋のケープがあるが、無地や極小さい柄もの等は問題無いが、和服の柄としてよく用いられる、続き柄や幾何学的な柄、そして二枚の布にまたがって描かれる絵羽物等の反物をケープ型に縫製すると一点の課題が持ち上がる。それは、和服縫製における醍醐味とも言われる柄あわせができないという点である。和服の模様は、柄あわせをすれば美しさが一段と増す。一方で、布の継ぎ目で柄が合っていないと、バランスが崩れ、美しさが損なわれることが多い。
【０００８】
反物の柄つけに関して述べると、昭和初期までの平均的な日本人女性の体形ならば、後身頃の幅と肩幅がほぼ同じである場合が多かったということもあり、柄つけは布の両端近くで布端と平行に縦に真っすぐに縫えば綺麗に柄あわせができるようになっている。
【０００９】
一方で、ケープは、縫い目が斜め線や曲線になっているので、柄あわせは不可能である。
【課題を解決するための手段】
【００１０】
本考案は、裄寸法不足が不自然に見えないようにするために、中南米のポンチョの形状を和服に取り入れたことを最も主要な特徴とする。ポンチョとは、菱形の布の真ん中に穴をあけただけの貫頭衣であり、着用時に腕を水平に上げれば逆三角形に見え、腕を下ろせばチューリップの花を下向きに咲かせたように見えるという、独特な形状を持つ。
【００１１】
和服と同じく平面的な構成であるこのポンチョ型であれば、布端と平行な直線の縫い目によって綺麗に柄あわせをすることができ、且つ裄寸法が不足していても不自然に見えない衣服をつくることができる。そしてそれに和服に対応できる衿をつけることによって、和服用のコートとしても使用できる。
【考案の効果】
【００１２】
本考案のポンチョ風和洋兼用コートは、一般的な和服のように、袖と身頃を振りで分割することなく、身頃に充当する部分と袖に充当する部分を、背中心線に平行な縫い目によって完全に一体化して一枚の布状にした上で、四隅を斜めに切り落として菱形にし、ポンチョ風に成形することにより、反物の柄を最大限美しく生かすことができる。また、上述のように、裄寸法が不足していても不自然に見えないだけでなく、腕を水平に伸ばせば逆三角形に見え、腕を下ろせばチューリップの花を下向きに咲かせたように見えるという、斬新なデザインの和風衣服を提供できる。また、長着の肩幅、袖幅、袖丈にとらわれない設計であるため、フリーサイズでの生産が可能であり、安価な物を提供できるという利点がある。
【図面の簡単な説明】
【００１３】
【図１】図１はポンチョ風和洋兼用コートを平面に広げた状態の外観図である。
【図２】図２はポンチョ風和洋兼用コートの着用時の前面外観図である。
【図３】図３はポンチョ風和洋兼用コートの着用時の背面外観図である。
【産業上の利用可能性】
【００１４】
本考案のポンチョ風和洋兼用コートは、和服長着の上に着用するという用途にとどまらず、これまで和服を着ることを諦めざるを得なかった長身の日本人や、日本人より長身で手足が長いとされる外国人にも、洋服の上から着用してもらうことにより、日本の誇りである絹織物の魅力を味わってもらうことができる。
【図１】
0003160616.tif 000003
【図２】
0003160616.tif 000004
【図３】
0003160616.tif 000005
(57)【要約】      （修正有）【課題】手のひらサイズで軽く、バックなどに入れて気軽に持ち運ぶことができ、小さな子供でも楽しみながら、貯まってゆく貯金の喜びを、育むことができる貯金缶を提供する。【解決手段】円筒状の缶で、円筒の底面５の直径に対し、円筒の高さを低くし、安定性を良くしている。例えば、上面４と底面５の直径は約６．６ｃｍであり、高さは２．８ｃｍである。鉄、アルミニウム、プラスチック、紙、ゴム、又は木などで構成され、十分な剛性を保つことが可能である。又、硬貨の投入口３を側面に配置する。手のひらサイズのため、容積が大きくなく、硬貨を満たした状態でも重量が気にならず持ち運ぶことが可能である。また、硬貨を満たす容積が適度に小さいため、小さな子供でも、貯金が貯まって行く喜びを、実感しやすい。【選択図】図１
0003160613.tif 000002
【実用新案登録請求の範囲】
【請求項１】
硬貨を貯める貯金缶であって、底面の幅に対して、側面の高さが低く、硬貨の投入口を前記側面に設けたことを特徴とする貯金缶。
【請求項２】
前記底面を取り外し、投入された硬貨を取り出すことが可能な、請求項１記載の貯金缶。
【請求項３】
前記底面を取り外しても、底部に蓋を取り付けることで、再度、硬貨を貯めることが可能な請求項２記載の貯金缶。
【考案の詳細な説明】
【技術分野】
【０００１】  本考案は、硬貨を貯金する貯金缶に関する。
【背景技術】
【０００２】  従来の貯金箱は、通常、机上などに配置し、気軽に持ち運ぶ概念は存在しなかった。また、相当量の硬貨を貯めることが想定され、容積や、硬貨が貯まった状態での重量は、気軽にバックなどに入れて持ち運べるものではなかった。
また、相当量の容積の貯金箱を、硬貨で満たすのに時間がかかり、貯金の意欲も失せてしまいがちであった。
【先行技術文献】
【特許文献】
【０００３】
【特許文献１】登録実用新案第３０１８５６９号公報
【考案の概要】
【考案が解決しようとする課題】
【０００４】  手のひらサイズで軽く、バックなどに入れて気軽に持ち運ぶことができ、小さな子供でも楽しみながら、貯まってゆく貯金の喜びを、育むことができる貯金缶を提供することを目的とする。
【課題を解決するための手段】
【０００５】  硬貨を貯める貯金缶であって、底面の幅に対して、高さが低く、硬貨の投入口を側面に設ける。また、前記底面を取り外し、投入された硬貨を取り出すことを可能にする。また、底面を取り外しても、底部に蓋を取り付けることで、再度、硬貨を貯めることを可能にする。
【考案の効果】
【０００６】  手のひらサイズで、軽く、バックなどに入れて気軽に持ち運ぶことができる。硬貨を満たす容量が適度に小さいため、小さな子供でも楽しみながら、貯まってゆく貯金の喜びを、育むことができる。
【図面の簡単な説明】
【０００７】
【図１】貯金缶の上面からの斜視図である。
【図２】貯金缶の底面からの斜視図である。
【図３】貯金缶の底部にポリエチレンの蓋を取り付けた斜視図である。
【考案を実施するための形態】
【０００８】  以下、考案を実施するための形態について説明する。
【実施例】
【０００９】  図１は、本考案の貯金缶１であり、円筒状の缶で、円筒の底面５の直径に対し、円筒の高さを低くし、安定性を良くしている。例えば、上面４と底面５の直径は約６．６ｃｍであり、高さは２．８ｃｍである。鉄、アルミニウム、プラスチック、紙、ゴム、又は木などで構成され、十分な剛性を保つことが可能である。
手のひらサイズのため、容積が大きくなく、硬貨を満たした状態でも重量が気にならず持ち運ぶことが可能である。また、硬貨を満たす容積が適度に小さいため、小さな子供でも、貯金が貯まって行く喜びを、実感しやすい。【００１０】  硬貨の投入口３を上面４ではなく、側面２に設けることにより、貯金缶１の高さを低くしても、内部の硬貨に邪魔されることなく、硬貨をスムーズに投入することができる。
図２は、貯金缶１の底面５を上にした状態であり、底面５のプルタブ６を引くことで、底面５を取り外し、缶を開けることができ、貯めた硬貨を取り出すことが可能となる。【００１１】  底面５のプルタブ６を引いて、底面５を取り外してしまっても、ポリエチレンなどの材質による蓋７を底部に取り付けることで、再度、硬貨を貯めることも可能である。
図３は、ポリエチレンの蓋７を底部に取り付けたものである。
なお、缶の上面４や底面５の形状は円に限られるものではなく、例えば、多角形、楕円、又は星型などのものであっても良い。また、缶の形状は円筒、円柱に限られるものではなく、例えば、頂点を有する円錐、又は多角錐などであっても良い。
【符号の説明】
【００１２】１  貯金缶
２  側面
３  硬貨投入口
４  上面
５  底面
６  プルタブ
７  蓋
【図１】
0003160613.tif 000003
【図２】
0003160613.tif 000004
【図３】
0003160613.tif 000005
(57)【要約】      （修正有）【課題】埋葬者との関係が深いオリジナリテイのある装飾棺を提供する。【解決手段】棺は、上部が開放された合板製の棺体２と蓋体３とからなり、棺体２は平面視四隅が曲面２ａに形成され、蓋体３は棺体２の四隅に対応した曲面を有し、かつ、上面に向かって曲面３ａに形成されている。そして、棺の全面に埋葬者の着物が貼着されている。【選択図】図１
0003160630.tif 000002
【実用新案登録請求の範囲】
【請求項１】
棺の全面に装飾布を貼着した装飾棺において、該装飾布は埋葬者の着物であることを特徴とする装飾棺。
【請求項２】
前記装飾棺は、上部が開放された合板製の棺体と蓋体とからなり、棺体は平面視四隅が曲面に形成され、蓋体は該棺体の四隅に対応した曲面を有し、かつ、上面に向かって曲面に形成されたことを特徴とする請求項１記載の装飾棺。
【考案の詳細な説明】
【技術分野】
【０００１】
本考案は、棺の表面に装飾布を貼着した装飾棺に関するものである。
【背景技術】
【０００２】
従来、葬儀に用いられる棺は、幅広の白木の板を用いて作られている。近年は、材料の入手の問題もあって、合板や紙によって製作したものも増加している。
白木を使用しない場合は、棺を飾り布で覆う場合が多いが、飾り布を使用せずに棺の表面に塗装を施したり、装飾布を貼着したり（例えば、特許文献１参照）、また、電気植毛を施したもの（例えば、特許文献２参照）も見られる。
【先行技術文献】
【特許文献】
【０００３】
【特許文献１】実用新案登録第３０８２６６２号公報
【特許文献２】特開平７−２１３５６６号公報
【考案の概要】
【考案が解決しようとする課題】
【０００４】
特許文献１に記載の装飾棺は、棺の表面に装飾布を貼着し、この一部又は全面に油性や水性の顔料あるいは金粉の彩色を施した彩色仕上げ部を設けている。
また、特許文献２の装飾棺は、棺の表面に導電性塗料を塗布して、その表面に接着剤を塗布して、短繊維を静電植毛法により植毛したものである。
これらの装飾棺は、葬儀にマッチしたおごそかな雰囲気を備えるように工夫されているが、埋葬者と直接的に関係して、埋葬者を偲ぶという点について配慮されているとは言えない。
【０００５】
そこで、本考案は埋葬者との関係が深いオリジナリテイのある装飾棺を提供することを目的としている。
【課題を解決するための手段】
【０００６】
上記の目的を解決するため、本考案の装飾棺は、次のように構成した。すなわち、棺の全面に装飾布を貼着した装飾棺において、該装飾布は埋葬者の着物であることを特徴としている。
着物は、複数であってもよい。着物のどの部分を棺のどこへ貼るかは、着物の模様を見て、適宜判断すればよいが、通常は、着物の模様の部分を蓋体の窓部の下方に貼着するようにするとよい。
着物を遺族の方から戴いてから棺に貼着するまでの時間はさほどあるわけではないので、上記の着物の配置については、着物の種類や模様の状態などによって予め標準的なものを定めておくのが望ましい。
【０００７】
棺は、材質および形状について特に限定するものではなく、従来から使用されている直方体のものでもよいが、請求項２に記載のように、平面視四隅が曲面に形成され、蓋体は該棺体の四隅に対応した曲面を有し、かつ、上面に向かって曲面に形成されたものとすれば、着物を全面に貼着したとき、高級感を備えたものにできる。
【考案の効果】
【０００８】
本考案は上記のように、棺の全面に埋葬者の着物を貼着したので、埋葬者との関係が深いオリジナリテイのあるものにでき、埋葬者を偲ぶのにふさわしいものにできる。
【図面の簡単な説明】
【０００９】
【図１】本考案の装飾棺の実施の形態を示す全体斜視図。
【図２】同、蓋体を取ったときの状態を示す全体斜視図である。
【考案を実施するための形態】
【００１０】
本考案の実施の形態を図面に基づいて説明する。
図１は、本考案の実施の形態の装飾棺の全体斜視図を示し、図２は、棺体から蓋体を取ったときの全体斜視図を示している。
図に示すように、棺１は、上方が開口された箱形の棺体２と、棺体２の上部を塞ぐ蓋体３とから構成されている。なお、材質は、ここでは、合板を用いている。
【００１１】
棺体２は、平面視で四隅が曲面２ａに形成され、上端は蓋体３が印籠状に嵌合するように嵌合部２ｂを設けている。
蓋体３は、曲線(カマボコ型)に形成され、かつ、四隅は棺体２の四隅の曲面に対応した曲面３ａを備えた形状としている。そして、上面には、遺体の顔を見るときに開く開閉窓５が設けられている。
【００１２】
図に示すように、蓋体３の外面および棺体２の外面（底面を除く）には、埋葬者の着物を適宜にカットした装飾布が貼られている。
図１では、蓋体３の開閉窓５より下方に、着物（訪問着や留袖）の裾模様の部分をカットした模様６が貼着されている。そして、その他の部分には、着物の残りの部分を適宜にカットしたものが貼着されている。模様は、特にどんなものでも良い。また、着物の模様が総模様で、特に部分的に目立つところがない場合は、模様の上下方向を配慮して配置すればよい。なお、一着で足らない場合は、別の着物も使用する。
【符号の説明】
【００１３】
１  棺
２  棺体
２ａ  曲面
２ｂ  嵌合部
３  蓋体
３ａ  曲面
５  開閉窓
６  模様
【図１】
0003160630.tif 000003
【図２】
0003160630.tif 000004
(57)【要約】      （修正有）【課題】飲食店の外壁を装飾するとともに、酒類の宣伝、広告効果をも奏する外装材と、該外装材を使用した飲食店の外壁仕上げとを提供する。【解決手段】所要矩形枠組みの裏桟と、裏桟に接合される湾曲表面材と、表面材に貼着される酒名ラベルとで外装材Ａが構成される。このほか、酒名ラベルに飾り縄が配設される。外壁仕上げＢは前記外装材Ａが建築外壁に設けたたるき１２や横桟１３に、所要列、所要段数に渡って接合され、その上下から多数の照明灯１４が配設される。【選択図】図２
0003160647.tif 000002
【実用新案登録請求の範囲】
【請求項１】
所要形状の枠組みの裏桟と、該裏桟に接合される湾曲表面材と、該表面材に貼着される酒名ラベルとから成り、建築外壁材に多数個接合されて各種銘酒の酒樽状の外装を呈することを特徴とする外装材。
【請求項２】
前記酒名ラベルに飾り縄が配設されて成る請求項１記載の外装材。
【請求項３】
請求項１又は２記載の外装材が建築外壁材に多数個接合された装飾壁と、該装飾壁の上下に配設される多数個の照明灯とから成る外壁仕上げ。
【考案の詳細な説明】
【技術分野】
【０００１】
本考案は、建物の外壁に接合されて表面を装飾する建築物の仕上げ技術に関する。
【背景技術】
【０００２】
従来から提案されている建築物の外装材は、断熱や耐候性や取付け作業性等が重視されて、建物に合致した外観装飾性は軽視されていた。
その中で、ログハウス調壁面材として、断面略円弧状で表面に木質薄単板が貼着された技術が特開平8-39510号公報（特許文献１）に開示され、また、セルロース系微粉粒と樹脂とを混合して湾曲板部を押出成形した外壁材が特開2006-257815号公報（特許文献２）に提案されているが、何れも装飾性としてはログハウス調の外観を呈するのみで、特定の建物（例えば居酒屋等）との関係における装飾性は開示されていない。
このように、飲食店などの酒食に関連する装飾、特に酒樽状の装飾で演出された外壁仕上げは未提案である。
【先行技術文献】
【特許文献】
【０００３】
【特許文献１】特開平8-39510号公報
【特許文献２】特開2006-257815号公報
【考案の概要】
【考案が解決しようとする課題】
【０００４】
本考案は、飲食店（主として居酒屋）の外壁を装飾するとともに、酒類の宣伝、広告効果をも奏する外装材と、該外装材を使用した飲食店の外壁仕上げとを提供する。
【課題を解決するための手段】
【０００５】
本考案の請求項１に記載した外装材は、所要矩形枠組みの裏桟と、該裏桟に接合される湾曲表面材と、該表面材に貼着される酒名ラベルとから成り、建築外壁材に多数個接合されて各種銘酒の酒樽状の外装を呈することを特徴とする。
本考案の請求項２に記載した考案は、請求項１に記載した外装材において、前記酒名ラベルに飾り縄が配設されて成る。
本考案の請求項３に記載した外壁仕上げは、請求項１又は２記載の外装材が建築外壁材に多数個接合された装飾壁と、該装飾壁の上下に配設される多数個の照明灯とから成る。
【考案の効果】
【０００６】
本考案の請求項１又は２記載の外装材は、こもかぶりの酒樽をイメージさせるものであるから、酒類の宣伝、広告効果を奏するものであり、請求項３の外壁仕上げでは、飲食店での取扱い酒類を一目で表現できるので、入店誘起効果がある。
【図面の簡単な説明】
【０００７】
【図１】本考案の外装材Ａの説明図で、（ａ）は外装材本体８の背面側の斜視図、（ｂ）は湾曲表面材７に貼着される酒名ラベル９の斜視図。
【図２】本考案の外装材Ａを居酒屋の外壁に接合した状態の外壁仕上げＢの説明図。
【考案を実施するための形態】
【０００８】
本考案の外装材における裏桟は、木質材によるものから軽量型鋼や樹脂成形材などでも対応され、湾曲表面材は木質材（合板等）やアルミ材などの成形品で対応され、酒名ラベルは合成樹脂シートに酒名及び装飾図柄が印刷されたものであり、こもを縛る飾り縄は実物の縄を貼り付けたり、前記合成樹脂シートの装飾図柄に含まれる。
【実施例】
【０００９】
本考案の外装材Ａを一実施例により説明すると、図１に示すように、左右の縦骨１に対して上下の横骨２が接合され、横骨２の中間に中間縦骨３が接合され、左右の縦骨１と中間縦骨３との中間にそれぞれ中間横骨４が接合され、上下の横骨２を含み中間縦骨３の表面側には支持骨５を一体に張り出して裏桟６が形成される。裏桟６の高さと同一高さで円弧状に湾曲成形した合板製の湾曲表面材７が左右の縦骨１と支持骨５に接合されて外装材本体８が形成される。外装材本体８の湾曲表面材７の表面には各種銘酒の酒名や装飾図柄の印刷された合成樹脂製の酒名ラベル９が貼着されて成る。本実施例で示した裏桟６は一例に過ぎず、各種の形態で提供され、酒名ラベル９は図１（ｂ）の仮想線で示すように、飾り縄１０の印刷されたものや、実物の飾り縄１０を貼着したものがある。
【００１０】
このようにして成る外装材Ａは図２に示すように、居酒屋１１の外壁に所要の間隔で設けた仮想線で示すたるき１２や横桟１３に、所要列、所要段数に渡って接合され、その上下から多数の照明灯１４が配設されて、外壁仕上げＢとして提供されるものであり、その外観は各種銘酒のこもかぶりの酒樽がずらりと陳列された様相を呈し、殊に夜間での銘酒の宣伝、広告効果が上がることは勿論のこと、居酒屋への興味も湧くこととなって入店誘起効果をも呈するものである。
なお、最上段の外装材Ａと外壁間には、雨や雪が入り込まないように遮蔽手段が施される。
【産業上の利用可能性】
【００１１】
本考案は、飲食業関係の外壁仕上げに用いられて演出効果を発揮できる上、営業建物と密接に関連する新規な外装材として建築業界にも貢献できる。
【符号の説明】
【００１２】
１：縦骨
２：横骨
３：中間縦骨
４：中間横骨
５：支持骨
６：裏桟
７：湾曲表面材
８：外装材本体
９：酒名ラベル
１０：飾り縄
１１：居酒屋
１２：たるき
１３：横桟
１４：照明灯
Ａ：外装材
Ｂ：外壁仕上げ
【図１】
0003160647.tif 000003
【図２】
0003160647.tif 000004